(57)【要約】【課題】  被情報伝達者が携帯端末装置を所有していない場合や携帯端末装置を携帯していない場合であっても情報伝達者は被情報伝達者に情報を伝達する。【解決手段】  サーバ装置２が、電気通信回線を介して携帯電話機１から表示情報とその表示希望日時情報を受信するのに応じて、表示希望日時情報を参照して表示情報の送出タイミングをスケジューリングし、スケジューリングされた送出タイミングで表示情報を、例えば街頭に設置された大型の表示装置３ａ，３ｂ，３ｃに送出する。そして、表示装置３ａ，３ｂ，３ｃは、サーバ装置２から送出された表示情報を表示する。これにより、被情報伝達者はユーザからの情報を表示装置３ａ，３ｂ，３ｃを介して知ることができるので、被情報伝達者が携帯電話機１を所有していない場合や携帯電話機１を携帯していない場合であってもユーザは被情報伝達者に情報を伝達することができる。【選択図】図１
2006203436.tif 000002
【特許請求の範囲】
【請求項１】
電気通信回線を利用して情報通信可能な携帯端末装置と、
電気通信回線を介して前記携帯端末装置から表示用データ及び当該表示用データの表示希望日時情報を受信するのに応じて、表示希望日時情報を参照して表示用データの送出タイミングをスケジューリングし、スケジューリングされた送出タイミングで表示用データを送出するサーバ装置と、
任意の場所に配設され、前記サーバ装置から送出された表示用データを表示する表示装置と
を備えることを特徴とする情報表示システム。
【請求項２】
電気通信回線を介して表示用データ及び当該表示用データの表示希望日時情報を受信する処理と、
前記表示希望日時情報を参照して前記表示用データの送出タイミングをスケジューリングする処理と、
スケジューリングされた送出タイミングで表示用データを任意の場所に配設された表示装置に送出する処理と
を含み、これらの処理をコンピュータに実行させることを特徴とする情報表示プログラム。
【発明の詳細な説明】
【技術分野】
【０００１】
本発明は、携帯電話機やＰＤＡ等の携帯型の情報通信端末装置から送信された情報を街頭に設けられた大型の表示装置に表示する情報表示システム及び情報表示プログラムに関する。
【背景技術】
【０００２】
近年、携帯電話機やＰＤＡ（Ｐｅｒｓｏｎａｌ  Ｄｉｇｉｔａｌ  Ａｓｓｉｓｔａｎｔ）等の携帯型の情報通信端末装置（以下、携帯端末装置と略記）の急速な普及に伴い、ユーザは電子メール等の手段を利用してどのような場所からでも情報伝達を行うことが可能になっている（例えば、特許文献１を参照）。
【０００３】
【特許文献１】特開平１０−２５７０９０号公報
【発明の開示】
【発明が解決しようとする課題】
【０００４】
しかしながら、携帯端末装置を利用した情報伝達方法は、被情報伝達者が携帯端末装置を携帯していることを前提としているために、被情報伝達者が携帯端末装置を所有していない場合や携帯端末装置を携帯していない場合には、被情報伝達者に情報を伝達することができない。
【０００５】
本発明は、上記課題を解決するためになされたものであり、被情報伝達者が携帯端末装置を所有していない場合や携帯端末装置を携帯していない場合であっても情報伝達者からの情報を被情報伝達者に伝達することが可能であり、かつ、誕生日等のお祝いメッセージ等の各種情報伝達として表示することができる全く新しいコミニケーションシステムとしても利用可能な情報表示システム及び情報表示プログラムを提供することにある。
【課題を解決するための手段】
【０００６】
上述の課題を解決するために、本発明に係る情報表示システム及び情報表示プログラムは、電気通信回線を介して表示用データとその表示希望日時情報を受信するのに応じて、表示希望日時情報を参照して表示用データの送出タイミングをスケジューリングし、スケジューリングされた送出タイミングで表示用データを任意の場所に配設された表示装置に送出する。
【発明の効果】
【０００７】
本発明に係る情報表示システム及び情報表示プログラムによれば、被情報伝達者は情報伝達者からの情報を表示装置を介して知ることができるので、被情報伝達者が携帯端末装置を所有していない場合や携帯端末装置を携帯していない場合であっても情報伝達者は被情報伝達者に情報を伝達することができると共に、誕生日等のお祝いメッセージ等の各種情報伝達として表示することができる全く新しいコミニケーションシステムを提供することができる。
【発明を実施するための最良の形態】
【０００８】
以下、図面を参照して、本発明の実施形態となる情報表示システムの構成と動作について詳しく説明する。
【０００９】
〔情報表示システムの構成〕
始めに、図１を参照して、本発明の実施形態となる情報表示システムの構成について説明する。
【００１０】
本発明の実施形態となる情報表示システムは、図１に示すように、ユーザが携帯する携帯電話機１と、情報表示サービス提供者が管理するサーバ装置２と、ビル等の複数の建造物毎に配設され、サーバ装置２から送出された画像情報を表示する大型の表示装置（いわゆる大型表示ビジョン装置）３ａ，３ｂ，３ｃとを主な構成要素として備え、携帯電話機１とサーバ装置２間，及びサーバ装置２と表示装置３ａ，３ｂ，３ｃ間は電気通信回線を介して接続可能なように構成されている。また、上記サーバ装置２は、複数のジョブをパラレル処理可能なワークステーション等の情報処理装置により構成され、携帯電話機１及び表示装置３ａ，３ｂ，３ｃとの間の情報通信を制御する情報通信部１１と、携帯電話機１から送信された情報に対し後述する画像処理を行い画像情報データベース（ＤＢ）１２に記録する画像処理部１３と、画像情報ＤＢ１２内に記憶されている画像情報を表示装置３ａ，３ｂ，３ｃに送出するタイミングを調整（スケジューリング）するスケジューリング部１４と、携帯電話機１のユーザの個人情報（例えば氏名，住所，電話番号，クレジットカード番号等）を記録するユーザ情報データベース（ＤＢ）１５と、サーバ装置２全体の動作を制御する制御部１６とを備える。
【００１１】
そして、このような構成を有する情報表示システムでは、サーバ装置２が以下に示す情報表示処理を実行することにより、被情報伝達者が携帯電話機１を所有していない場合や携帯電話機１を携帯していない場合であってもユーザからの情報を被情報伝達者に伝達することを可能にする。以下、図２に示すフローチャートを参照して、この情報表示処理を実行する際の情報表示システムの動作について詳しく説明する。
【００１２】
〔情報表示処理〕
図２に示すフローチャートは、ユーザが携帯電話機１内部にインストールされたウェブブラウザ等のクライアントソフトを利用して電気通信回線を介して携帯電話機１をサーバ装置２に接続するのに応じて開始となり、情報表示処理はステップＳ１の処理に進む。
【００１３】
ステップＳ１の処理では、携帯電話機１が、ユーザの予約処理操作に応じて、表示装置３ａ，３ｂ，３ｃへの情報表示を希望する日時の情報（日時情報）をサーバ装置２に送信する。なお、本実施形態のように表示装置が複数ある場合、ユーザは、この処理の際に情報を表示する表示装置を選択できることが望ましい。これにより、このステップＳ１の処理は完了し、情報表示処理はステップＳ２の処理に進む。
【００１４】
ステップＳ２の処理では、スケジューリング部１４が、受信した日時情報と現在までに作成されているスケジュールファイル（詳しくは後述）の内容を比較して、ユーザが情報表示を希望している日時に他のユーザの情報表示スケジュールが登録されているか否かを判別する。このような処理によれば、同じ日時及び表示装置に複数のユーザの情報表示スケジュールが重複することを防止できる。そして、判別の結果、他のユーザの情報表示スケジュールが登録されていない場合、スケジューリング部１４は情報表示処理をステップＳ５の処理に進める。一方、他のユーザの情報表示スケジュールが登録されている場合には、スケジューリング部１４は情報表示処理をステップＳ３の処理に進める。
【００１５】
ステップＳ３の処理では、スケジューリング部１４が、スケジュールファイルを参照して、情報表示が可能な（他のユーザの情報表示スケジュールがない）日時の中でユーザが情報表示を希望している日時に近い日時の情報を抽出し、情報通信部１１が、スケジューリング部１４により抽出された情報を携帯電話機１に送信する。これにより、このステップＳ３の処理は完了し、情報表示処理はステップＳ４の処理に進む。
【００１６】
ステップＳ４の処理では、携帯電話機１が、ユーザの選択操作に応じて、スケジューリング部１４により抽出された日時に情報表示を希望するか否かを示す情報をサーバ装置２に送信する。そして、スケジューリング部１４は、携帯電話機１から送信された情報を参照して、ユーザがステップＳ３の処理により抽出した日時に情報表示を希望しているか否かを判別し、希望していない場合、一連の情報表示処理を終了する。一方、ユーザがステップＳ３の処理により送信した日時に情報表示を希望している場合には、スケジューリング部１４は情報表示処理をステップＳ５の処理に進める。
【００１７】
ステップＳ５の処理では、サーバ装置２が、表示装置３ａ，３ｂ，３ｃへの表示を希望する画像データやテキストデータ等の表示情報の送信要求を携帯電話機１に送信し、携帯電話機１は、ユーザの送信操作に応じて、表示情報をサーバ装置２に送信する。これにより、このステップＳ５の処理は完了し、情報表示処理はステップＳ６の処理に進む。
【００１８】
ステップＳ６の処理では、画像処理部１３が、携帯電話機１から送信された表示情報の内容を解析し、表示情報の内容が公序良俗に反していないか等、携帯電話機１から送信された表示情報を表示装置３ａ，３ｂ，３ｃに表示しても問題がないか否かを判別する。なお、正確さを期するために、この解析処理は人手により行うことが望ましい。そして、判別の結果、問題がある場合、サーバ装置２、情報表示処理ができない旨のメッセージを携帯電話機１に送信した後、一連の情報表示処理を終了する。一方、問題がない場合には、サーバ装置２は情報表示処理をステップＳ７の処理に進める。
【００１９】
ステップＳ７の処理では、サーバ装置２が、２４時間等の所定時間内にユーザの個人情報の登録を促すメッセージを携帯電話機１に送信し、携帯電話機２は、ユーザの入力操作に応じて、氏名，住所，電話番号，クレジットカード番号等のユーザの個人情報をサーバ装置２に送信する。そして、サーバ装置２は、所定時間内に携帯電話機２からユーザの個人情報を受信するのに応じて、ユーザの個人情報に固有の識別情報（ＩＤ）を付与してユーザ情報ＤＢ１５に記録する。なお、所定時間内に携帯電話機１からユーザの個人情報を受信できない場合、サーバ装置２は、携帯電話機１から送信された表示情報を消去し、一連の情報表示処理を終了する。これにより、このステップＳ７の処理は完了し、情報表示処理はステップＳ８の処理に進む。
【００２０】
ステップＳ８の処理では、画像処理部１３が、携帯電話機１から送信された表示情報をビットマップ画像に変換し、変換されたビットマップ画像に固有の識別情報（ＩＤ）を付与して画像情報ＤＢ１２に記録する。具体的には、表示情報が写真データが添付されているテキストデータである場合、サーバ装置２の管理者は、添付の写真データが縦向き又は横向きのいずれの向きの画像であるか否かを判別し、表示装置３ａ，３ｂ，３ｃに画像が適切な向きで表示されるように画像データの座標変換を行った後、写真データとテキストデータを合わせた画像をビットマップ画像に変換する。またこの時、画像処理部１３は、携帯電話機１から送信された表示情報の規格（例えば、ＰＮＧファイル等）を表示装置３ａ，３ｂ，３ｃの表示規格に自動変換したり、表示情報の大きさを表示装置３ａ，３ｂ，３ｃへの表示に適した大きさに変換する。これにより、このステップＳ８の処理は完了し、情報表示処理はステップＳ９の処理に進む。
【００２１】
ステップＳ９の処理では、スケジューリング部１４が、表示情報の表示日付，表示時間，識別情報，及び表示情報の表示に使用する表示装置の情報をスケジュールファイルに記録する。これにより、このステップＳ９の処理は完了し、情報表示処理はステップＳ１０の処理に進む。
【００２２】
ステップＳ１０の処理では、サーバ装置２が、スケジューリング部１４により作成されたスケジュールファイルに従って画像情報ＤＢ１２に記録されているビットマップ画像を表示装置３ａ，３ｂ，３ｃに送出し、表示装置３ａ，３ｂ，３ｃは、サーバ装置２から送出されたビットマップ画像を表示する。これにより、このステップＳ１０の処理は完了し、情報表示処理はステップＳ１１の処理に進む。
【００２３】
ステップＳ１１の処理では、サーバ装置２が、ユーザ情報ＤＢ１５を参照して、情報表示が完了したユーザに対し課金する。これにより、このステップＳ１１の処理は完了し、一連の情報表示処理は終了する。
【００２４】
以上の説明から明らかなように、本発明の実施形態となる情報表示処理によれば、サーバ装置２が、電気通信回線を介して携帯電話機１から表示情報とその表示希望日時情報を受信するのに応じて、表示希望日時情報を参照して表示情報の送出タイミングをスケジューリングし、スケジューリングされた送出タイミングで表示情報を表示装置３ａ，３ｂ，３ｃに送出し、表示装置３ａ，３ｂ，３ｃが、サーバ装置２から送出された表示情報を表示する。そして、このような構成によれば、被情報伝達者はユーザからの情報を表示装置３ａ，３ｂ，３ｃを介して知ることができるので、被情報伝達者が携帯電話機１を所有していない場合や携帯電話機１を携帯していない場合であってもユーザは被情報伝達者に情報を伝達することができる。
【００２５】
また、本発明の実施形態となる情報表示処理によれば、サーバ装置２が、表示情報の送出タイミングを自動的にスケジューリングするので、複数の携帯電話機１から表示情報が送信された場合でも送出タイミングを瞬時にスケジューリングすることができる。また、本発明の実施形態となる情報表示処理によれば、サーバ装置２が、携帯電話機１から送信された表示情報を表示装置３ａ，３ｂ，３ｃへの表示に適したビットマップ画像に変換するので、ユーザは被情報伝達者に情報を確実に伝達することができる。
【００２６】
以上、本発明者によってなされた発明を適用した実施の形態について説明したが、この実施の形態による本発明の開示の一部をなす論述及び図面により本発明は限定されることはない。例えば、上記実施形態では、ユーザは、携帯電話機１を操作して情報表示処理を行ったが、本発明は携帯電話機１に限られることはなく、ＰＤＡ等のその他の携帯端末装置も利用できることは勿論である。また、ユーザは、画像情報ＤＢ１２やユーザ情報ＤＢ１５を参照して、自分が送信した表示情報がどのような画像になったか、どのような表示情報の表示を予約したかを確認できるようにしてもよい。このように、この実施の形態に基づいて当業者等によりなされる他の実施の形態、実施例及び運用技術等は全て本発明の範疇に含まれることは勿論であることを付け加えておく。
【図面の簡単な説明】
【００２７】
【図１】本発明の実施形態となる情報表示システムの構成を示す模式図である。
【図２】本発明の実施形態となる情報表示処理の流れを示すフローチャート図である。
【符号の説明】
【００２８】
１  携帯電話機
２  サーバ装置
３ａ，３ｂ，３ｃ  表示装置
１１  情報通信部
１２  画像情報データベース（ＤＢ）
１３  画像処理部
１４  スケジューリング部
１５  ユーザ情報データベース（ＤＢ）
１６  制御部
【図１】
2006203436.tif 000003
【図２】
2006203436.tif 000004